(57)【要約】【課題】壁パネル自体の構造を変更することなく、意匠性が異なり、従来連結構造が異なる２種類の壁パネルを連結して、部分的に強度が優れたり、意匠が異なるユニットルームを容易に構築することができるユニットルームの壁パネル連結構造を提供する。【解決手段】連結補助具を、柱材係合穴を下面側に向けて壁パネルＡの連結具嵌合溝内の所定位置に装着し、柱材に設けられた壁パネルＡ側に突出する突出部の先端で上方に延出する係合部を柱材係合穴に下方から係合させて壁パネルＡを柱材に支持させ、壁パネルＢを、壁パネルＡを柱材に支持した状態で柱材との間に形成される隙間にパネル側面を挿入し、弾性係止部を隙間内に突設された柱材の弾性係合部に係合させるようにした。【選択図】      図１
2005155248.tif 000002
【特許請求の範囲】
【請求項１】
断面略Ｃ字形または断面略コ字形をした上下方向に連続する連結具嵌合溝を両側面に備えた壁パネル（Ａ）と、鋼板の両側縁がパネル側面を形成するように後方に折り返され、その先端部が係合突部を形成するようにさらに内側に向かって折り返されたパネル本体を備える壁パネル（Ｂ）とが、柱材を介してその端縁を略突き合わせた状態に連結支持されたユニットルームの壁パネル連結構造であって、
連結補助具が、柱材係合穴を下面側に向けて壁パネル（Ａ）の連結具嵌合溝内の所定位置に装着されていて、
前記壁パネル（Ａ）が、柱材に設けられた壁パネル（Ａ）側に突出する突出部の先端で上方に延出するように設けられた係合部を前記柱材係合穴に下方から係合させることによって柱材に支持されており、
前記壁パネル（Ｂ）が、壁パネル（Ａ）を柱材に支持した状態で柱材との間に形成される隙間にパネル側面および弾性係止部を挿入し、弾性係止部が隙間内に突設された柱材の弾性係合部に係合されて柱材に支持されていることを特徴とするユニットルームの壁パネル連結構造。
【請求項２】
柱材が係合部の柱材係合穴への係合を阻害しない位置に係合部方向に突出する位置決め突部を有し、この位置決め突部が、係合部の柱材係合穴への係合状態の時、連結補助具の側壁面に設けられた位置決め凹部に嵌合する請求項１に記載のユニットルームの壁パネル連結構造。
【請求項３】
柱材の係合突部を柱材係合穴に向かってガイドするテーパ部を備えた突部が柱材係合穴近傍の連結補助具の下面に設けられている請求項１または請求項２に記載のユニットルームの壁パネル連結構造。
【発明の詳細な説明】
【技術分野】
【０００１】
本発明は、ユニット化された柱材と壁パネルとを組み立てて壁面が形成される浴室やシャワー室等のユニットルームの壁パネル連結構造に関する。
【背景技術】
【０００２】
浴室ユニットやシャワー室ユニットなどのユニットルームは、壁パネルと壁パネルとを連接させて室内壁面が形成されるようになっている。
そして、このようなユニットルームの壁パネル連結構造としては、図７に示すような連結構造１００や図８に示すような連結構造２００が用いられている。
【０００３】
すなわち、前者の連結構造１００は、図７に示すように、壁パネル１１０が板状のパネル本体１１１と、両端が開放された断面略Ｃ字形の補強材１１２とから構成され、補強材１１２がその連結具嵌合溝１１３の開口をパネル本体１１１の外側を向け、その長手方向の端が上下になるようにパネル本体１１１に側縁にそってパネル本体に固着されている。そして、２枚の壁パネル１１０，１１０をその端縁が略接するようにして所定の位置に立てかけ、連結部１２１の両端に嵌合部１２２を有する連結具（「ジョイントピース」ともいう）１２０の、両嵌合部１２２をそれぞれ各壁パネル１１０の連結具嵌合溝１１３に上方から嵌合させることによって連結するようになっている（たとえば、特許文献１参照）。
【０００４】
一方、後者の連結構造２００は、図８に示すように、壁パネル２１０が、鋼板等の薄板材の両側縁をパネル側面２１１を形成するように後方に折り返し、その先端部を係合突部２１２を形成するようにさらに内側に向かって折り返すことによって形成されている。そして、鋼板を折り曲げ形成された柱材（「スタッド」ともいう）２２０を防水パン（図示せず）の端部に立設しておき、柱材２２０の室内側に設けられた開口部２２１から壁パネル２１０のパネル側面２１１を柱材２２０内に挿入し、弾性係合部２２２に係合させることによって壁パネル２１０をその端縁が略接した状態に柱材２２０を介して連結するようになっている（たとえば、特許文献２参照）。
【０００５】
【特許文献１】特開２０００−２９１１８６号公報
【特許文献２】特開２００１−９０２２９号公報
【発明の開示】
【発明が解決しようとする課題】
【０００６】
また、前者の連結構造１００に用いられる壁パネル１１０は、パネル本体１１１として無機面材や繊維強化プラスチック板（ＦＲＰ板）の比較的厚みがあり、強度的にも優れているとともに、表面に凹凸を施した化粧面材が用いられ、表面の平滑性が低いという特徴がある。
一方、後者の連結構造２００に用いられる壁パネル２１０は、鋼板などの薄板材を折り曲げて形成されているので、パネル表面を平滑性に富んだものにする場合には、好適であるが、パネル表面を凹凸のあるものにすることが難しい。
【０００７】
したがって、後者の連結構造２００では、表面に凹凸があり、部分的に強度の強い壁面構造のユニットルームを構築することができない。
【０００８】
本発明は、上記事情に鑑みて、壁パネル自体の構造を変更することなく、意匠性が異なり、従来連結構造が異なる２種類の壁パネルを連結して、部分的に強度が優れたり、意匠
が異なるユニットルームを容易に構築することができるユニットルームの壁パネル連結構造を提供することを目的としている。
【課題を解決するための手段】
【０００９】
上記目的を達成するために、本発明にかかるユニットルームの壁面構造は、断面略Ｃ字形または断面略コ字形をした上下方向に連続する連結具嵌合溝を両側面に備えた壁パネル（Ａ）と、鋼板の両側縁がパネル側面を形成するように後方に折り返され、その先端部が係合突部を形成するようにさらに内側に向かって折り返されたパネル本体を備える壁パネル（Ｂ）とが、柱材を介してその端縁を略突き合わせた状態に連結支持されたユニットルームの壁面構造であって、連結補助具が、柱材係合穴を下面側に向けて壁パネル（Ａ）の連結具嵌合溝内の所定位置に装着されていて、前記壁パネル（Ａ）が、柱材に設けられた壁パネル（Ａ）側に突出する突出部の先端で上方に延出するように設けられた係合部を前記柱材係合穴に下方から係合させることによって柱材に支持されており、前記壁パネル（Ｂ）が、壁パネル（Ａ）を柱材に支持した状態で柱材との間に形成される隙間にパネル側面および弾性係止部を挿入し、弾性係止部が隙間内に突設された柱材の弾性係合部に係合されて柱材に支持されていることを特徴としている。
【００１０】
また、本発明の壁面構造においては、柱材が係合部の柱材係合穴への係合を阻害しない位置に係合部方向に突出する位置決め突部を有し、この位置決め突部が、係合部の柱材係合穴への係合状態の時、連結補助具の側壁面に設けられた位置決め凹部に嵌合する構成や、柱材の係合突部を柱材係合穴に向かってガイドするテーパ部を備えた突部が柱材係合穴近傍の連結補助具の下面に設けられている構成とすることが好ましい。
【発明の効果】
【００１１】
本発明にかかるユニットルームの壁面構造は、以上のようになっているので、断面略Ｃ字形または断面略コ字形をした上下方向に連続する連結具嵌合溝を両側面に備えた壁パネル（Ａ）と、鋼板の両側縁がパネル側面を形成するように後方に折り返され、その先端部が係合突部を形成するようにさらに内側に向かって折り返されたパネル本体を備える壁パネル（Ｂ）とを容易に連結して室内の意匠性に富んだり、部分的に強度が優れた壁面を構築することができる。すなわち、室内壁の強度が必要な部分には壁パネル（Ａ）を用い、強度があまり必要でない部分には安価な壁パネル（Ｂ）を用いて、ユニットルームのコストを上げることなく室内の意匠性を屋上させることができる。
【００１２】
また、柱材が係合部の柱材係合穴への係合を阻害しない位置に係合部方向に突出する位置決め突部を有し、この位置決め突部が、係合部の柱材係合穴への係合状態の時、連結補助具の側壁面に設けられた位置決め凹部に嵌合する構成とすれば、壁パネル（Ａ）がより強固に柱材に支持される。
さらに、柱材の係合突部を係合穴に向かってガイドするテーパ部を備えた突部が係合穴近傍の連結補助具の下面に設けられている構成とすれば、柱材の係合突部の係合穴への係合を正確にかつ容易に行え、壁パネルの連結作業性が向上する。
【発明を実施するための最良の形態】
【００１３】
以下に、本発明を、その実施の形態をあらわす図面を参照しつつ詳しく説明する。
図□は、本発明にかかるユニットルームの壁パネル連結構造の１つの実施の形態をあらわしている。
【００１４】
図１に示すように、この壁パネル連結構造１は、構造が異なる壁パネルＡ、Ｂが柱材２および連結補助具５を介してユニットルームのコーナー部を形成するように連結されている。
詳細に説明すると、壁パネルＡは、断面略Ｃ形の連結具嵌合溝３１を備えた補強材３ａ
が、無機面材やＦＲＰ板で形成されたパネル本体３ｂの裏面でパネル本体３ｂの側縁に沿って連結具嵌合溝３１を外側に向けてパネル本体に固着されている。
【００１５】
一方、壁パネルＢは、鋼板の両側縁がパネル側面４１を形成するように後方に折り返され、その先端部が弾性係止部４２を形成するようにさらに内側に向かって折り返されて形成されていて、裏面に石膏ボード等の断熱材４３が貼着されている。
連結補助具５は、図１〜図３に示すように、連結具嵌合溝３１に嵌合する補強材嵌合部５１と、補強材３ａの外壁面に係止される鍔状係止部５３を両側に有する連結具嵌合溝３１から外側に露出する露出部５２とを備え、ビス５４によって補強材３ａに固定されるようになっている。
【００１６】
補強材嵌合部５１の下面には、後述する柱材２の係合部２２ａが係合する柱材係合穴５５が設けられ、柱材係合穴５５の柱材２側に係合部２２ａを柱材係合穴５５に向かってガイドするテーパ部５６ａを備えた突部５６が突設されている。
露出部５２の中央には、後述する柱材２の位置決め突部２３が嵌まり込む補強材嵌合部５１まで達するスリット状の位置決め凹部５７が開口している。
【００１７】
柱材２は、図４に示すように、打ち抜き鋼板を折り曲げ加工することによって形成されていて、断面略コ字形をした柱材本体部２１を有し、この柱材本体部２１のコ字の一方の横辺部分から突出するように３つの突出部２２と、位置決め突部２３が延出している。
突出部２２の先端には上方に延出するように係合部２２ａが突設されている。
柱材本体部２１のコ字の他方の横辺部分の先端には、一方に横辺方向に向かって直角に折れ曲がるように壁パネルＢの受面２４が形成され、受面２４の先端からさらにコ字の内側に向かって断面略ヘ字形に折れ曲がった弾性係合部２５が設けられている。
【００１８】
そして、この壁パネル連結構造１は、図２に示すように、まず、３つの連結補助具５が、その補強材嵌合部５１を補強材３ａの連結具嵌合溝３１に嵌まり込むようにスライド嵌合され、図５に示すように、柱材２の係合部２２ａに対応する３箇所の位置にそれぞれビス２６によって固定される。
つぎに、柱材２が、その係合部２２ａを柱材係合穴５５に係合させるとともに、突出部２２の一部および位置決め突部２３を位置決め凹部５７に嵌合されることによって壁パネルＡに装着される。
【００１９】
続いて、柱材２が、防水パン６の水切り部６１にビス６２を介して立設状態に固定され、同時に壁パネルＡの下端が防水パン６のパネル受部６３に受けられた状態で立設される。
そして、壁パネルＢが、壁パネルＡの端縁と柱材２との間に形成される隙間Ｓにパネル側面４１および弾性係止部４２を挿入し、弾性係止部４２を柱材２の弾性係合部２５に係合させることによって、その下端がパネル受部６３に受けられるとともに、柱材２および連結補助具５を介して壁パネルＡに連結状態に立設される。
【００２０】
なお、図１，２中、７は軟質合成樹脂で形成されたバッカー材であって、連結補助具５にその一端が固定され、他端部７１が隙間Ｓ内を臨むように押し込まれていて、隙間Ｓ内に挿入された壁パネルＢのパネパネル側面４１に略水密に弾接するようになっている。また、８はシーリング材である。
【００２１】
この壁パネル連結構造は、以上のように構成されているので、従来、連結構造が全く異なる壁パネルＡと壁パネルＢとを両壁パネルＡ，Ｂの構造を変更することなく連結することができる。
したがって、たとえば、図６に示すように、１面が壁パネルＡで形成され、他の３面が
壁パネルＢで形成されたような意匠性に富んだユニットルームとしての浴室９を容易に形成することができる。
【００２２】
なお、図６中、９１は、従来の壁パネルＡ用の連結具、９２および９３は従来の壁パネルＢ用の柱材、Ｄはドアである。
【００２３】
本発明にかかる壁面構造は、上記の実施の形態に限定されない。たとえば、上記の実施の形態では、柱材２を連結補助具５を介して壁パネルＡに取り付けた後、柱材２を防水パン６の水切り部６１にビス止めするようになっていたが、柱材２を先に防水パンにビス止めしたのち、連結補助具５を取り付けた壁パネルＡを柱材２に支持させるようにしても構わない。
また、上記の実施の形態では、浴室Ｒのコーナー部で壁パネルＡと壁パネルＢとが連結されていたが、平面部で連結するようにしても構わない。
【図面の簡単な説明】
【００２４】
【図１】本発明にかかるユニットルームの壁パネル連結構造の１つの実施の形態をあらわす連結部の横断面図である。
【図２】図１の連結部の壁パネルＢの取付前の状態の横断面図である。
【図３】図１の連結構造に用いられる連結補助具の斜視図である。
【図４】図１の連結構造に用いられる柱材の斜視図である。
【図５】図１の連結構造の壁パネルＡへの柱材の取付方法を説明する斜視図である。
【図６】図１の連結構造を用いた浴室の横断面図である。
【図７】従来の壁パネル連結構造の１例であって、その連結部の横断面図である。
【図８】従来の壁パネル連結構造の他の例であって、その連結部の横断面図である。
【符号の説明】
【００２５】
Ａ，Ｂ  壁パネル
Ｒ  浴室（ユニットルーム）
１  壁パネル連結構造
２  柱材
２２  突出部
２２ａ  係合部
２３  位置決め突部
２５  弾性係合部
３１  連結具嵌合溝
４１  パネル側面
４２  弾性係止部
５  連結補助具
５５  柱材係合穴
５６  突部
５６ａ  テーパ部
５７  位置決め凹部
【図１】
2005155248.tif 000003
【図２】
2005155248.tif 000004
【図３】
2005155248.tif 000005
【図４】
2005155248.tif 000006
【図５】
2005155248.tif 000007
【図６】
2005155248.tif 000008
【図７】
2005155248.tif 000009
【図８】
2005155248.tif 000010